(57)【特許請求の範囲】
【請求項１】
排水用トラップの下流側の排水管の途中に接続可能な接続管と、該接続管より分岐した分岐管と、該分岐管の先端に接続し上端に前記排水管内の気圧が降下したとき外部より吸気する通気弁を接続すると共に該通気弁へ排水が逆流するのを防止する逆止弁を有する通気管とからなり、該通気管は略垂直方向に配置されると共に下端を閉塞し、前記逆止弁は、該通気管における前記分岐管の開口部より下方の位置の収容部内に存する浮き弁体と、該通気管内の該開口部より上方の位置に設けられ前記分岐管を介して該通気管内に流入した排水により浮上した前記浮き弁体が圧接して前記通気弁へ該排水が逆流するのを防止する弁座とからなることを特徴とする排水用通気弁装置。
【請求項２】
前記開口部に前記浮弁体が前記分岐管へ流出するのを防止するストッパーを設けたことを特徴とする請求項１に記載の排水用通気弁装置。
【請求項３】
前記通気弁は前記排水用トラップの最上部より上方に配置したことを特徴とする請求項１に記載の排水用通気弁装置。
【請求項４】
前記分岐管は中央部分で継脱可能に形成したことを特徴とする請求項１に記載の排水用通気弁装置。
【発明の詳細な説明】
【０００１】
【発明の属する技術分野】
本発明は集合住宅その他の建物の排水設備において、簡便に設置可能なトラップの破封防止のための通気弁装置に関する。
【０００２】
【従来の技術】
従来の例えば集合住宅の建物の排水設備において、各階の排水横枝管から分岐し、上端に通気弁を有する縦通気管に接続し、該通気弁から排水管内の気圧が降下したとき外部より吸気してトラップ破封を防止する方式が一般的に採用されている。
【０００３】
【発明が解決しようとする課題】
この従来の方式によれば各階の床面内に前記排水横枝管と共に前記縦通気管を配設しなければならず、又建物の壁部に前記排水横枝管に接続した縦排水管と共に該縦排水管の頂点にも通気弁を配設せねばならず、施工に手間がかかると共にスペースをとる問題点があった。
【０００４】
本発明は、これらの問題点を解消し、Ｓ字トラップなどの下流側の排水管に小型で簡単に設置できる排水用通気弁装置を提供することを目的とする。
【０００５】
【課題を解決するための手段】
本発明は上記の目的を達成すべく、排水用トラップの下流側の排水管の途中に接続可能な接続管と、該接続管より分岐した分岐管と、該分岐管の先端に接続し上端に前記排水管内の気圧が降下したとき外部より吸気する通気弁を接続すると共に該通気弁へ排水が逆流するのを防止する逆止弁を有する通気管とからなり、該通気管は略垂直方向に配置されると共に下端を閉塞し、前記逆止弁は、該通気管における前記分岐管の開口部より下方の位置の収容部内に存する浮き弁体と、該通気管内の該開口部より上方の位置に設けられ前記分岐管を介して該通気管内に流入した排水により浮上した前記浮き弁体が圧接して前記通気弁へ該排水が逆流するのを防止する弁座とからなることを特徴とする。
【０００６】
【発明の実施の形態】
本発明の第１実施の形態を図１において説明する。
【０００７】
１は排水用通気弁装置を示し、該排水用通気弁装置１は接続管２と通気管３と該通気管３の上部に設けられた通気弁４と該通気管３内の逆止弁５及び該接続管２と該通気管３とを連通する分岐管６よりなる。
【０００８】
該接続管２はＡＢＳ樹脂などによりパイプ状に成型され、該接続管２の上部外周はＳ字トラップＡなどと接続のために螺刻され、同じく下部外周も下流の排水管Ｂと接続のため螺刻され、これらＳ字トラップＡと排水管Ｂに袋ナット２ａ、２ｂ及びパッキング２ｃ、２ｄにより接続されるようになっている。
【０００９】
前記通気管３は前記接続管２と同様にＡＢＳ樹脂などによりパイプ状に成型され、その上端部に前記通気弁４を内ネジソケット３ａを介して取付けると共に下端部に底蓋３ｂを嵌着して該通気管３の下部を閉塞している。
【００１０】
又該通気管３の略中央部より斜目下方に分岐管６の上側半分部６ｂが一体成型されていて、前記接続管２に一体成型した分岐管６の下側半分部６ａに該上側半分の分岐管６ｂを嵌挿して袋ナット６ｃ及びパッキング６ｅによってしっかりと接合して分岐管６を形成した。
【００１１】
前記逆止弁５は前記通気管３内の下端部の収容部３ｃ内に存する発泡性樹脂製の球状の浮弁体５ｂと該通気管３の上端で前記内ネジソケット３ａで挟着されているＯリングにより形成の弁座５ａからなり、排水が分岐管６を経て通気管３内に流入したとき前記浮弁体５ｂが浮上して前記弁座５ａに当接して排水が通気弁４に至らないようにした。
【００１２】
ここで前記浮弁体５ｂが浮上したり、降下するとき分岐管６内に流出するのを防止するため該分岐管６ｂ入口の開口部にストッパー６ｄが設けられている。
【００１３】
尚、該分岐管６の管内径が浮弁体５ｂのボール径より小さい場合はストッパー６ｄは当然必要がない。
【００１４】
次に図２及び図３において前記通気弁４を説明する。
【００１５】
通気パイプ４ａの上部で図示しないが数か所のリブによりキノコの傘状のハウジング４ｂが冠着され、該ハウジング４ｂの内側に内室４ｃが設けられ、該内室４ｃの中心部より後述の弁体４ｅが上下動するための案内軸４ｆが垂下して設けられている。
【００１６】
そして弁体４ｅは可撓性のあるゴムなどで作られたドーナツ状板で、この中心部には弁体４ｅを保持して前記案内軸４ｆに遊挿して上下動する案内孔を有する弁保持具４ｇが形成され、該弁保持具４ｇと弁体４ｅのドーナツ状板との間を複数のリブで架設し、これらリブ間において内室４ｃと通気パイプ４ａが連通している。
【００１７】
又図２の如く通気パイプ４ａの上端面の内弁座４ｈとハウジング４ｂの外周下部の内側折返し部の上端面の外弁座４ｉに自重により弁体４ｅを当接した状態で通気パイプ４ａ内からの臭気を常時封止するようになっている。
【００１８】
ところが他の排水機器、例えば便器などで排水すると、排水と共に排水管内の空気も一緒に巻き込み、そのため排水管内が負圧状態となり、点線の矢印で示す様に排水管に連通している通気パイプ４ａ及び内室４ｃも負圧状態となり、かくてこの負圧と外部に連なる空気取入口４ｊの大気圧との圧力差により、弁体４ｅが図３の如く上動し、外気を排水管内に流入させて前記排水管に連通してる洗面化粧台などのトラップの封水が一緒に引かれるのを防止して臭気の逆流を防止するようにしている。
【００１９】
次に前記実施の形態の排水用通気弁装置１の作動を図４乃至図６において説明する。
【００２０】
図４は化粧洗面台での使用状態を示し、洗面器Ｃの流出口の下側には通常は臭気止めのＳ字トラップＡが取付けられている。
【００２１】
このＳ字トラップＡの直後に接続管２の上部を接続し、下部を排水管Ｂに接続する。配管工事の際にはこの接続管２を先に接続し、後で通気管３と最後に通気弁４を取付ける。尚、弁体４ｅが自重で作動するために通気弁４は垂直に取付ける。
【００２２】
正常に取付が完了したところで、洗面器Ｃに水を溜めて、洗面後に一気に排水すると、Ｓ字トラップＡ内の封水も一緒に排出してしまう自己サイホン現象が起きることがあっても通気弁４により吸気してＳ字トラップＡの封水が保持される。
【００２３】
尚、接続管２と通気管３とを連通している分岐管６は通気管３が上方になる様に傾斜しているので、排水が仮りに分岐管６内に流入しても通気管３内に入らずに直ちに排水管Ｂに流れる。
【００２４】
更に通気弁４はＳ字トラップＡの最上部より上部に設置されているので、排水時に排水が通気弁４迄上昇してくることは起きない。
【００２５】
ところが、排水下流側の詰まりなどで排水が逆流してくると、排水は図５の如く洗面器Ｃにあふれてくるが、通気弁４へは分岐管６から排水が流入するが通気管３内の空気が通気弁４の弁体４ｅを圧迫して閉弁するので圧力の高い空気のため分岐管６内で排水が上昇できずに逆流を防止することができる。
【００２６】
しかし例えば、弁体４ｅと弁座４ｈの間に小物Ｄが挟まったように通気弁４の弁体４ｅが完全に閉弁できずに空気が漏れた状態では逆流した排水は分岐管６を通り通気管３内に流入すると浮弁体５ｂが排水により浮上して弁座５ａに圧接し、通気弁４へ排水が逆流するのを防止する。
【００２７】
この様に浮弁体５ｂによる逆止弁５により通気弁４に不具合が生じても逆流を二重に防止することができる。更に通気弁４に小物Ｄが挟まると臭気が上ってくるが、洗面台の下部なので簡単に通気弁４の点検や交換を行うことができる。
【００２８】
図７において台所の流し用の第２実施の形態について説明する。
【００２９】
図７で示す様に台所の流しに使用されている臭気止めのトラップＡ´は流し口の下に生ごみなどを受けるストレーナＥがあり、このストレーナＥの下面にリングが取付けられており、所謂ワントラップ或いはベルトラップと呼ばれているものの一種であるが、Ｓ字トラップと同様にこのトラップも溜め洗いをして一気に排水すると破封することが起き易い。
【００３０】
洗面台などに使用されているＳ字トラップのパイプ径よりも台所の流し用は太く、従ってトラップＡ´と排水管Ｂ´に接続する接続管１２は太く接続はやや複雑になるが、通気管３、通気弁４、逆止弁５は全く同様のものを使用し、作動原理も同様であり、台所の流しの下部に小型に簡単に設置することができる。
【００３１】
【発明の効果】
このように本発明によると、排水用トラップの封水を保持するための通気弁を洗面台や台所の流しの下部においてトラップの直後の排水管に接続管を介して取付可能にしたので、小型に設置でき、又施工工事が容易になる効果を有する。
【図面の簡単な説明】
【図１】本発明の第１実施の形態の断面図である。
【図２】その通気弁の断面図である。
【図３】その通気弁の作動説明図である。
【図４】〜
【図６】第１実施の形態の作動を示す断面図である。
【図７】第２実施の形態の設置の状態を示す一部を截除した正面図である。
【符号の説明】
１      排水用通気弁装置
２      接続管
３      通気管
3c      収容部
４      通気弁
５      逆止弁
5a      弁座
5b      浮弁体
６      分岐管
【図１】
0003747085.tif 000002
【図２】
0003747085.tif 000003
【図３】
0003747085.tif 000004
【図４】
0003747085.tif 000005
【図５】
0003747085.tif 000006
【図６】
0003747085.tif 000007
【図７】
0003747085.tif 000008